(57)【要約】【課題】この発明は床板体を回動上昇させて基体に形成された収容部に小物類などを出し入れする際に、ガススプリングが邪魔にならないようにしたベッド装置を提供することにある。【解決手段】内部を収容部２とした箱形状の基体１と、基体の長手方向一端部の両側内面にそれぞれ一端部を枢着して設けられた第１のリンク７と第２のリンク９とを有するリンク機構４と、第１のリンクと第２のリンクとの他端部が長手方向の一端部の幅方向両側に枢着されることで回動可能に設けられほぼ水平に倒伏した状態で基体の上面開口を閉塞する床板体３と、床板体の長手方向一端部と基体の長手方向一端部に一端と他端とをそれぞれ回動可能に連結して設けられその付勢力によって床板体を一端部を支点として端部が上昇する回動方向に付勢したガススプリング２２とを具備する。【選択図】    図１
2004229897.tif 000002
【特許請求の範囲】
【請求項１】
上面が開口し内部を収容部とした箱形状の基体と、
この基体の長手方向一端部の両側内面にそれぞれ一端部を枢着して設けられた第１のリンク及びこの第１のリンクよりも長尺な第２のリンクとを有するリンク機構と、
上記第１のリンクと第２のリンクとの他端部が長手方向の一端部の幅方向両側に枢着されることで回動可能に設けられほぼ水平に倒伏した状態で上記基体の上面開口を閉塞する床板体と、
上記床板体の長手方向一端部と上記基体の長手方向一端部に一端と他端とをそれぞれ回動可能に連結して設けられその付勢力によって上記床板体を一端部を支点として端部が上昇する回動方向に付勢したガススプリングと
を具備したことを特徴とするベッド装置。
【請求項２】
上記床板体を所定の角度に上昇させたときに上記リンク機構に作用して上記床板を倒伏不能に保持するストッパ機構を有し、
このストッパ機構は、上記第２のリンクの他端部に設けられたガイド軸と、このガイド軸に一端部が回動可能かつ第２のリンクに対して接離する方向に変位可能に取付けられたストッパリンクと、このストッパリンクの他端部に設けられ上記床板体を回動させて所定の角度に上昇させたときに上記床板体の長手方向一端部に設けられた係合部に係合して上記第２のリンクの他端部が上記床板体に対して回動するのを阻止する係止部材とから構成されていることを特徴とする請求項１記載のベッド装置。
【発明の詳細な説明】
【０００１】
【発明の属する技術分野】
この発明は基体を物品の収容部として利用することができるようにしたベッド装置に関する。
【０００２】
【従来の技術】
一般に、ベッド装置は箱形状の基体を有する。この基体の長手方向一端にはヘッドボードが立設されている。基体の上面には床板体が設けられ、この床板体の上面にはマットレスが載置される。
【０００３】
このような構成のベッド装置において、上記基体の内部空間を小物類を収容するための収容部として利用できるようにしたものがある。基体の内部空間を収容部として利用する場合、上記基体を上面が開口した箱形状に形成するとともに、この基体に対して上記床板体を回動可能に連結する。そして、床板体を回動上昇させることで、上記基体の上面を開放し、内部空間である収容部に小物類を出し入れできるようにしている。
【０００４】
基体を収容部として利用する場合、上記床板体の幅方向の一端を上記基体の幅方向一端に回動可能に連結して開閉可能としたり、長手方向の一端を基体の長手方向一端に回動可能に連結して開閉可能にするようにしている。
【０００５】
いずれの構成においても、上記床板体の回動上昇を軽い力で楽に行なうことができるようにするとともに、倒伏させるときに床板体が緩やかに下降するようにするため、基体と床板体との間にガススプリングを設けるということが行なわれている。
【０００６】
従来、上記床板体の長手方一端を基体に回動可能に連結したベッド装置においては、上記ガススプリングの一端を上記基体の長手方向他端部に連結し、他端を上記床板体の長手方向中途部に連結するということが行なわれていた。それによって、床板体を上昇方向に回動させると、ガススプリングが倒伏した状態から起立方向に回動しながら伸長し、上記床板体を弾性的に支持するようになっている。
【０００７】
【発明が解決しようとする課題】
ところで、上記ガススプリングの一端を上記基体の長手方向他端部に連結し、他端を上記床板体の長手方向中途部に連結した場合、床板体を上昇方向に回動させると、ガススプリングは上昇した床板体の長手方向中途部と、基体の他端との間に起立し、基体の側方を塞ぐ状態となる。そのため、基体の側方から収容部に小物類を出し入れするときに、起立したガススプリングが邪魔になり、収容部が使い難いということがある。
【０００８】
また、基体の他端部と床板体の中途部とをガススプリングで連結するだけでは、床板体を必要以上に上昇方向に回動させてしまうことがある。その場合、ガススプリングは最大長さ以上に伸長させられることになるから、ガススプリングに無理な力が作用し、損傷してしまうということがある。
【０００９】
この発明は、床板体を上昇方向に回動させて基体の収容部を利用する場合に、ガススプリングが邪魔になることがなく、しかもガススプリングが必要以上に伸ばされるのを防止できるようにしたベッド装置を提供することにある。
【００１０】
【課題を解決するための手段】
上面が開口し内部を収容部とした箱形状の基体と、
この基体の長手方向一端部の両側内面にそれぞれ一端部を枢着して設けられた第１のリンク及びこの第１のリンクよりも長尺な第２のリンクとを有するリンク機構と、
上記第１のリンクと第２のリンクとの他端部が長手方向の一端部の幅方向両側に枢着されることで回動可能に設けられほぼ水平に倒伏した状態で上記基体の上面開口を閉塞する床板体と、
上記床板体の長手方向一端部と上記基体の長手方向一端部に一端と他端とをそれぞれ回動可能に連結して設けられその付勢力によって上記床板を一端部を支点として端部が上昇する回動方向に付勢したガススプリングと
を具備したことを特徴とするベッド装置にある。
【００１１】
上記床板体を所定の角度に上昇させたときに上記リンク機構に作用して上記床板を倒伏不能に保持するストッパ機構を有し、
このストッパ機構は、上記第２のリンクの他端部に設けられたガイド軸と、このガイド軸に一端部が回動可能かつ第２のリンクに対して接離する方向に変位可能に取付けられたストッパリンクと、このストッパリンクの他端部に設けられ上記床板体を回動させて所定の角度に上昇させたときに上記床板体の長手方向一端部に設けられた係合部に係合して上記第２のリンクの他端部が上記床板体に対して回動するのを阻止する係止部材とから構成されていることが好ましい。
【００１２】
この発明によれば、基体と床板体の長手方向一端部をリンク機構によって回動可能に連結するとともに、その部分にガススプリングを設けるようにした。そのため、床板体を回動上昇させると、ガススプリングは基体と床板体の一端部の側方で起立するため、基体の収容部を利用するときにガススプリングが邪魔になることがなく、しかも基体と床板体とがリンク機構によっても連結されているため、ガススプリングが必要以上に伸張させられることもない。
【００１３】
【発明の実施の形態】
以下、図面を参照しながらこの発明の一実施の形態を説明する。
【００１４】
図１に示すこの発明のベッド装置は基体１を備えている。この基体１は上面が開口し、内部を収容部２とした矩形箱形状に形成されている。この基体１の上面開口は床板体３によって開閉されるようになっている。この床板体３は上記基体１とほぼ同じ平面形状の矩形板状をなしていて、その長手方向一端部の幅方向両側部はそれぞれリンク機構４によって回動可能に連結されている。
【００１５】
なお、上記床板体３の上面にはマットレスＭが載置されている。このマットレスＭは図示しないバンドなどの保持機構によって上記床板体３を回動上昇させたときに、床板体３上からずれ落ちることがないよう保持されている。一方、床板体の長手方向一端、つまり床板体３を回動上昇させたときの下端に図示しないヘッドボードを設けた場合には、床板体３を回動上昇させても、このヘッドボードによってマットレスＭが床板体３上からずれ落ちるのを阻止することができる。
【００１６】
上記リンク機構４は、上記床板体３の長手方向一端部の幅方向両端部の内面に一辺が取付け固定されたアングル材からなる第１の連結部材６を有する。上記床板体３の末端側に位置する第１の取付け部材６の一端部には第１のリンク７の一端が第１の支軸８によって回動可能に連結されている。
【００１７】
上記第１の取付け部材６の中途部には第２のリンク９の一端が第２の支軸１１によって回動可能に連結されている。この第２のリンク９は上記第１のリンク７よりも長尺に形成されている。なお、第１、第２のリンク７，９は帯状部材の幅方向一端に折り曲げ片７ａ，９ａを全長にわたって形成することで、曲げに対する強度の向上が図られている。
【００１８】
上記基体１の長手方向一端部の両側板１ａの内面には第２の連結部材１２が上記基体１の長手方向に沿って取付け固定されている。つまり、第２の連結部材１２は帯状部材からなり、両端部には図２と図６に示すように上記基体１の内面から離間する方向に一対の山型部１３が折曲形成されている。この山型部１３の両側にはそれぞれ一対の取付け孔１４が穿設されている。そして、上記第２の取付け部材１２は上記各取付け孔１４から基体１の側板１ａに捩じ込まれたねじ１５によって取付け固定されている。
【００１９】
上記基体１の各側板１ａの内面の上記第２の取付け部材１２が設けられた部分は壁部材１６によって覆われている。それによって、床板体３を回動させ、その回動に第１、第２のリンク７，９が連動しても、収容部２に収容された小物類などの物品がこれらリンク７，９の他端部に挟まれるのが防止できるようになっている。
なお、この実施の形態では、上記第１、第２のリンク７，９及び第１、第２の取付け部材６，１２とで上記リンク機構４を構成している。
【００２０】
上記第１のリンク７の他端は上記第２の取付け部材１２の一方の山型部１３に第３の支軸１７によって回動可能に連結され、上記第２のリンク９の他端は他方の山型部１３に第４の支軸１８によって回動可能に連結されている。図６に示すように、各支軸１７，１８と各リンク７，９との間にはブッシュ１９が設けられ、山型部１３と各リンク７，９の側面との間にはワッシャ２１が設けられている。それによって、各リンク７，９は山型部１３に対して円滑に回動可能となっている。
【００２１】
上記第１の取付け部材６の上記第２のリンク９の一端が連結された箇所よりもやや他端よりの箇所にはガススプリング２２の一端、つまりシリンダ２２ａの一端が枢着されている。このガススプリング２２の他端、つまりロッド２２ｂの先端は上記第２のリンク９の他端部に枢着されている。
【００２２】
図３に示すように、上記床板体３がほぼ水平に倒伏して基体１の上面開口を閉塞した状態では、上記ガススプリング２２は縮小している。つまり、ロッド２２ｂは突出方向の付勢力に抗してシリンダ２２ａ内に没入している。このとき、ガススプリング２２は収容部２内で倒伏し、床板体３の下面に対する角度が小さくなっているから、その付勢力が床板体３に強く作用せず、それによって床板体３は倒伏状態で保持されている。
【００２３】
床板体３を図２に示すように上昇方向に回動させると、その回動につれてガススプリング２２が起立してくる。それによって、床板体３に作用するガススプリング２２の付勢力が増大するから、床板体３を軽い力で上昇させることが可能となる。図２に示すように所定の角度で上昇した床板体３を図３に示すように倒伏させる場合には、ガススプリング２２の付勢力が床板体３の自重を支えるから、この床板体３を軽い力で緩やかに倒伏させることが可能となる。
【００２４】
図５に示すように、上記第２のリンク９の一端部にはガイド軸２５がこのリンク９の板面に対してほぼ直角に取付け固定されている。このガイド軸２５にはストッパリンク２６が一端部に形成された取付け孔２７を回転可能に嵌合させている。つまり、ストッパリンク２６は上記ガイド軸２５を支点として回動可能であるとともに、このガイド軸２５の軸方向、つまり回動方向と直交する方向に沿って変位可能になっている。上記ガイド軸２５の先端には上記ストッパリンク２６がガイド軸２５から抜出するのを防止するＣリンク２７が取付けられている。
【００２５】
上記ストッパリンク２６の他端部には係止部材としての軸状の係止突起２８が第２のリンク９に向かって突設されている。図２と図５に示すように、ストッパリンク２６が第２のリンク９に重合した状態では上記係止突起２７は上記第２のリンク９の一端部に穿設された第１の係合孔２９に係合可能となっている。
【００２６】
図２に示すように、上記第１の取付け部材６の長手方向中途部で、上記第２のリンク６の一端部が枢着された箇所の近くには係合部としての第２の係合孔３１が形成されている。
【００２７】
上記床板体３を図２に示すように所定の角度まで回動上昇させたとき、上記ストッパリンク２６をガイド軸２５に沿って第２のリンク９から離れる方向に変位させ、他端に設けられた係止突起２８を第１の係合孔２９から外す。ついで、このストッパリンク２６を図２に矢印で示す方向へ回動させて上記係止突起２８を第２の係止孔３１に対向させた後、ストッパリンク２６をガイド軸２５に沿って第２のリンク９に近づく方向へ変位させれば、上記係止突起２８が第２の係止孔３１に係合する。それによって、第２のリンク９の回動が阻止されるから、床板体３は上昇方向及び下降方向のいずれにも回動不能に保持される。
【００２８】
上記構成のベッド装置によれば、図３に示すように床板体３が倒伏した状態から、図２に示すように回動上昇させれば、基体１の上面の開口が開放されるから、収容部２に小物類などの物品を出し入れすることができる。
【００２９】
床板体３を上昇方向に付勢するためのガススプリング２２は、シリンダ２２ａの端部とロッド２２ｂの先端とを、基体１の長手方向一端部と、床板体３の長手方向一端部とにそれぞれ枢着して基体１の幅方向両側に設けられている。
【００３０】
そのため、上記基体１の収容部２を利用するため、床板体３を回動上昇させると、ガススプリング２２は床板体３の回動上昇に連動して図３に示す倒伏状態から図１と図２に示すように基体１の長手方向一端部の幅方向両側で起立する。
【００３１】
基体１の長手方向一端部の両側で起立した一対のガススプリング２２は、収容部２の両側を塞ぐことがないから、基体１の側方から収容部２に小物類を出し入れするときにガススプリング２２が邪魔になるということがない。
【００３２】
上記床板体３は基体１に対してガススプリング２２だけでなく、第１、第２のリンク７，９によっても連結されている。そのため、床板体３を上昇方向に回動させたとき、この床板体３の最大上昇角度は上記リンク７，９によって制限され、それに応じてガススプリング２２の最大長さも制限されるから、ガスプリング２２が必要以上に引き伸ばされて損傷するのを防止できる。
【００３３】
上記床板体３を上昇方向に所定の角度まで回動させると、その位置でストッパリンク２６によって第２のリンク９が床板体３に対して回動するのを阻止することができる。つまり、床板体３が上昇した状態で、ストッパリンク２６によってリンク機構４を作動不能に固定することができる。
【００３４】
そのため、床板体３を回動上昇させた状態で確実に保持することができるから、収容部２に小物類などを出し入れしている際に、上記床板体３が不用意な外力によって下降するのを防止できる。
【００３５】
上記ガススプリング２２は基体１の長手方向一端部と、床板体３の長手方向一端部とに連結されている。そのため、従来のようにガススプリング２２を基体１の長手方向他端部と、床板体３の長手方向中途部とに連結して設ける場合に比べ、上記ガススプリング２２の長さ寸法を十分に短くすることができるから、その分、ガススプリング２２のコスト低減を図ることができる。
【００３６】
なお、上記一実施の形態ではリンク機構が作動するのを阻止するストッパ機構としてストッパリングを用いたが、ストッパリンクに代わり、床板体を回動上昇させたときに、第１のリンク或いは第２のリンクを、ピンなどによって基体に係止してその回動を阻止する構成であってもよい。
【００３７】
【発明の効果】
以上のようにこの発明によれば、床板体を上昇方向に回動させると、ガススプリングは基体と床板体の一端部の側方で起立するため、基体の収容部を利用するときにガススプリングが邪魔になることがない。しかも、基体と床板体とがリンク機構によっても連結されているため、ガススプリングが必要以上に伸張させられて損傷するようなことも防止できる。
【図面の簡単な説明】
【図１】この発明の一実施の形態に係るベッド装置の床板体を回動上昇させた斜視図。
【図２】床板体を回動上昇させた状態のリンク機構の部分を示す断面図。
【図３】床板体を倒伏させた状態のリンク機構の部分を示す断面図。
【図４】リンク機構の平面図。
【図５】第２のリンクのストッパリンクが設けられた部分を一部断面して示す平面図。
【図６】第２の取付け部材とリンクとの連結部分の断面図。
【符号の説明】
１…基体、２…収容部、３…床板体、４…リンク機構、７…第１のリンク、９…第２のリンク、２６…ストッパリンク、２８…係止突起（係止部材）、３１…係合部。
【図１】
2004229897.tif 000003
【図２】
2004229897.tif 000004
【図３】
2004229897.tif 000005
【図４】
2004229897.tif 000006
【図５】
2004229897.tif 000007
【図６】
2004229897.tif 000008